(57)【要約】【課題】機械や建築に代表される部品の締結手段のうち、ナットを使用しない押さえ込みボルトではその緩み止めとして、ばね座金などがあるが確実性や簡便性で劣り、振動などの外力で部品の締結が解かれしばしば問題が発生する。【解決手段】テーパ状のスリーブを内側に嵌め込み、そして外周にスパナ掛けを有し、更に締め付け面外周に３個の突起がある座金をボルトの首下に組み込む。ボルトをスパナで相手部材に螺子止めするとき、同時にスパナでこの首下の座金の回転を押さえる。ボルトの締め付け力で座金の突起を相手面に押し付け、更に食込ませる。座金は相手との回転を阻止される。座金とボルトは座金の内側に組み入れたテーパ状のスリーブによるくさび力の作用によって回転を阻止される。ボルトと座金との回転阻止、更に座金と相手部材との回転阻止は結果として締め付けボルトの相手部材に対する緩み止めとなる。【選択図】図６
2014145477.tif 000002
【特許請求の範囲】
【請求項１】
ボルトと共に使用する座金であって、該座金の上下方向にテーパを有する内穴と、該座金自体の回転を制御するための工具賭け機構を有することを特徴とするボルトの緩み止め座金。
【請求項２】
請求項１記載の座金の内穴径の小さい側に接している外周面に少なくとも３個の突起部を有していることを特徴とするボルトの緩み止め座金。
【請求項３】
請求項１および２の何れか１項に記載の座金とその内穴テーパに勘合するスリーブ又はボルト首部をテーパ状に加工されたボルトを組み合わせて用いることを特徴とするボルトの緩み止め方法。
【発明の詳細な説明】
【技術分野】
【０００１】    本発明は、機械、建築等で汎用される部品同士の締結に使われるボルトの緩み止め方法に関するものである。
【背景技術】
【０００２】  緩み止め機構を有する螺子類や座金、ワッシャは従来から種々の形状のものが存在する。【０００３】  例えば、座金の締め付け面に種々の突起を形成するとともに、座金そのものを波状に成型してスプリング効果と滑り止め効果を有する座金が開示されている（特許文献１）。【０００４】  筒状又は傘状の座金の下部に二以上の脚を設け、それら脚は螺子類の締付けにより締付け対象物に押し付けられると圧縮されて、復元バネ力が蓄勢されるようにした座金に、形成した嵌合突起がボルト又はナットの嵌合受け部に嵌合して、ボルト又はナットの緩む方向への回転が規制されてボルト、ナットが緩まないようにした座金が開示されている（特許文献２）。【０００５】  座金の外周縁に数個の突起を設け、内周縁から外周縁方向に切り込みを入れてこの切り込み部分を下方に折り曲げた緩み止め座金を用い、台座の螺子穴の周辺に設けた複数個の凹部に、前記下方に折り曲げた切り込み部分を挿入して前記座金を台座に固定し、この座金を通してボルトを螺子穴に締め込んだ後、ボルトの頭部の側面に設けた複数の溝に、前記突起を上方に折り曲げて嵌合させることにより、ボルトの緩み止め方法も開示されている（特許文献３）。【０００６】  ボルト、ナット等の螺子類の頭部裏面に頭部突起を形成し、螺子類の頭部裏面に取付けられた座金の表面に座金突起を形成して、頭部突起と座金突起の噛み合いにより螺子類の緩みを防止し、また、座金裏面に周方向に間隔をあけて食込み突起を突設し、螺子類の締付けにより食込み突起が木製、金属製、樹脂製といった各種部材に食込んで、螺子類の締付けが緩まないようにしたものがある（特許文献４）。【０００７】  座金裏面に形成した食込み突起の根元の周囲全体に窪みを形成して、螺子類の締付けにより食込み突起が木製、金属製、樹脂製といった連結部材に食込むと、その食込みより連結部材の上面に盛り上がる連結部材の肉がその窪みに入り込んで座金が緩まないようにしたものがある（特許文献５）。【０００８】  ２つのフランジを締結対象とする容器本体の厚肉部に締結するボルトにおいて、ボルト頭部の外周には押え込み式のリング状廻り止め金具を嵌着し、ボルト頭部を押え込むようにしたものが開示されている（特許文献６）。
【先行技術文献】
【特許文献】
【０００９】
【特許文献１】特開２００６−３０７９６５号公報
【特許文献２】特開２００６−３０７９６３号公報
【特許文献３】特開２００６−３００２９９号公報
【特許文献４】特許第２５２７１３０号公報
【特許文献５】特許第３４７４３４１号公報
【特許文献６】特開平９−４２２６２公報
【発明の概要】
【発明が解決しようとする課題】
【００１０】  フランジなどを相手部材に締結するとき、相手側にナットを使う方法と相手部材に雌螺子を加工する方法がある。前者のナット使用の場合は、ハードロックナットなどの有効な手段が一般に広く使用されている。本発明は後者に関するもので、締結部分が振動、機構的作用また熱的変化などによる外力を受けボルトが緩み、結果フランジの締結が解かれ不都合が生じる。ボルト首下のばね座金などの廻り止め座金やボルト頭の穴に通した針金を使い固定するなど、緩み止め方法はあるが、そのボルトの使用する場所によっては信頼性、簡便性、コスト面から満足するに至っていないことが多々ある。ばね座金は締結を解く時に相手部材に不連続な傷を付け、針金の場合はその作業に手間がかかり保守点検などでの分解が多い場合は特に不向きである。
【課題を解決するための手段】
【００１１】  本発明は以下の構成からなる。
（１）ボルトと共に使用する座金であって、該座金の上下方向にテーパを有する内穴と、該座金自体の回転を制御するための工具賭け機構を有することを特徴とするボルトの緩み止め座金。
（２）上記１記載の座金の内穴径の小さい側に接している外周面に少なくとも３個の突起部を有していることを特徴とするボルトの緩み止め座金。
（３）上記１及び２の何れか１項に記載の座金とその内穴テーパに勘合するスリーブ又はボルト首部をテーパ状に加工されたボルトを組み合わせて用いることを特徴とするボルトの緩み止め方法。【００１２】  本発明を、図面に図１〜図７に従って、更に詳細に説明する。
市販されている一般的なボルト（９）でフランジ（１２）を雌螺子が加工された相手部材（１３）に螺子止めする時、テーパ（６）形状のスリーブ（４）とこのスリーブに対応したテーパ穴（２）を設けると共に締め付け面に突起（３）を具備した座金（１）をボルト（９）の首下に嵌め込み、このボルト（９）をスパナなどの工具で回転しながら螺子止めする。この時、ボルト（９）と座金（１）の両方に工具を装着し、座金（１）が回転しないようにしながらボルト（９）を締めこむ。座金（１）の突起（３）はフランジ（１２）に押し付けられ次にフランジ（１２）に喰い込む。同時に座金（１）とスリーブ（４）、更にボルト（９）は径方向でくさび作用によって、強く締結される。フランジ（１２）と相手部材（１３）の締結を解く場合は、締結時と同じ様にボルト（９）と座金（１）に工具を装着し、座金（１）の回転を止めながらボルト（９）を緩める。この時、座金（１）の突起（３）はフランジ（１２）の締め付け面で回転することなく、締め付け面に直角に離れて食込み部分に回転傷を付けない。フランジ（１２）に出来た凹部は次回に同じ締結を再現するとき座金（１）の突起（３）の相手部分となる。回転傷が付かない事から座金（２）の円周方向の位置をずらして突起（３）の新たなフランジ（１２）の相手部分にすることも可能である。また事前にフランジ（１２）の締め付け面に座金（１）の突起（３）に対応した凹部を機械加工等で形成することで、より確実な締結が期待できる。【００１３】  前述のスリーブ（４）は閉ざした円環を自在に開閉するためのひとつの円環の分断部（５）が設けられていても良い。前記座金は、締め付け面の突起（３）部分の可とう性を得るため、突起（３）近傍に締め面とほぼ同一方向の溝（８）を有していても良い。また、前記座金（１）は接合面を凹凸で回転制御した材質の異なる上下２分割の構造としてもよい。【００１４】  ボルト（９）の首下部を前記座金（１）に対応したテーパ（１１）形状としたボルト（１０）とし、前記座金（１）を組み合わせて用いることもできる。この場合には当然スリーブ（４）は必要としない。
【発明の効果】
【００１５】  ボルト（９）とスリーブ（４）の緩み止め力は、ボルト（９）の締め付け力（推力）から発生するくさび力である。またボルトの締め付け力は座金（１）の突起（３）がフランジ（１２）に食い込む力となる。ボルト（９）、スリーブ（４）、座金（１）、フランジ（１２）、相手部材（１３）が回転方向で固く締結されることで、ボルト（９）の緩み止め効果が発揮される。【００１６】  スリーブ（４）は円環上の一か所を分断（５）し、ボルト（９）の締め付け力から発生するくさび力を座金（１）に容易に伝える構造としている。【００１７】  前記スリーブ（４）と一般的なボルト（９）を一体化したボルト（１０）に座金（１）を組み込み、フランジ（１２）を相手部材（１３）に螺子止めするとき、同様の緩み止め効果を発揮する。【００１８】  前記座金（１）の突起（３）付近に溝（８）を設けた座金（７）の突起（３）をフランジ（１２）に押し付ける事で突起（３）部分が若干押し曲げられる。この変形は市販の皿ばね座金やばね座金の効果と同様に、締結部分が受ける振動、熱変形などに追従出来る弾力性を与え、緩み止めの効果を発揮する。【００１９】  フランジ（１２）がアルミ、銅、プラスチック、木材など比較的柔らかい材質の場合、ばね座金などによる従来の緩み止めでは、緩み止め効果を発揮する締め付け力ではアルミなどが損傷することがあり、有効な緩み止めは限定される。そして、ボルト（９）を緩める際、ばね座金など回転傷が付き易く不向きである。また、フランジ（１２）材質がステンレスの場合、ボルト（９）を緩めるとき、ばね座金で回転傷が付く事はよく知られている。本発明では回転傷が付かないことから柔らかい材質やねばりの強いステンレスなどの材質を相手とした場合に特に有効である。
【図面の簡単な説明】
【００２０】
【図１】本発明の押さえ込みボルトの緩み止めで示す座金の一例を示す。（ａ）正面図  （ｂ）側面図  （ｃ）Ｘ−Ｘ断面図
【図２】本発明の方法に用いられるスリーブの一例を示す。（ｇ）正面図  （ｈ）側面図  （ｉ）Ｙ−Ｙ断面図
【図３】本発明の座金の変形例の詳細を示す。（ｄ）正面図  （ｅ）側面図  （ｆ）Ｚ−Ｚ断面図
【図４】本発明の方法に用いられるボルトの一例を示す。（ｊ）正面図  （ｋ）上面図
【図５】本発明の方法に用いられるボルトの変形例の詳細を示す。（ｌ）正面図  （ｍ）上面図
【図６】本発明の座金、スリーブ、市販のボルトを組み合わせた取り付け状態を示す。
【図７】本発明の座金、ボルトの変形例を組み合わせた取り付け状態を示す。
【発明を実施するための形態】
【００２１】  締結にナットを使わないボルトの場合において、ボルトの首下に組み込む座金は締め付け面に食込む突起と回転を制御するスパナ掛け有し、更に内径にテーパ状のスリーブを嵌込んでいる。この座金とスリーブそしてボルトを一体として２つの部品を螺子固定する。
【実施例】
【００２２】  ２つの部品を締結するときは、図６に示す様に取り付け部材に螺子加工を施工し、被取り付け部品にボルト通し穴を設けここにボルトを挿入し螺子止めすることはごく普通の方法である。このとき図６に示す様にボルトの首下にテーパ状のスリーブを組み込んだスパナ掛けが可能なナット型の座金を勘合し螺子止めする。座金の突起は相手面に食込み、ボルトはテーパ状のスリーブでナット状の座金と強く締結され、座金を介して取り付け部材に対し緩み止め効果を発揮する。
【産業上の利用可能性】
【００２３】  ２つ以上の部品を結合すことは、例をあげるまでもない。材料が異なったり、加工方法が違ったり、その部品の大きさや加工精度など違いにより部品は分割細分化される。多くの部品が纏められることで装置や機器としてその機能を発揮する。ボルトによる締結は不可欠な要素である。
【符号の説明】
【００２４】  １．座金
２．テーパ穴
３．突起
４．スリーブ
５．分断部
６．テーパ
７．座金の変形例
８．溝
９．ボルト
１０．ボルトの変形例
１１．テーパ
１２．フランジ
１３．相手部材
【図１】
2014145477.tif 000003
【図２】
2014145477.tif 000004
【図３】
2014145477.tif 000005
【図４】
2014145477.tif 000006
【図５】
2014145477.tif 000007
【図６】
2014145477.tif 000008
【図７】
2014145477.tif 000009